(57)【要約】  スキュー精度の良好に維持できる光学ピックアップ装置を提供することを目的とする。本発明の光学ピックアップ装置１において、サスペンション２５は、トラッキング方向Ｔの幅寸法が大きくなるように形成された幅広部２５３を備えている。これにより、幅広部２５３でサスペンション２５のねじれを防止できる。このため、ねじれによって発生する高周波数のねじれ共振による振動を抑えることができる。従って、可動部の振動を押えることができるので、スキュー精度を良好に維持できる。【特許請求の範囲】
【請求項１】
支持部と、この支持部に少なくとも一対の線状弾性部材を介して移動可能に接続されるとともに対物レンズを有する可動部とを備えた光学ピックアップ装置であって、
前記一対の線状弾性部材は、長手方向に延びる仮想線が交差するように一端が前記可動部に固定されて他端が前記支持部に固定されるとともに、この線状弾性部材の一部に、少なくとも一径方向において径寸法が当該線状弾性部材の両端部の径寸法よりも大きく形成される幅広部を有する
ことを特徴とした光学ピックアップ装置。
【請求項２】
請求項１に記載の光学ピックアップ装置において、
前記幅広部は、前記線状弾性部材の長手方向の略中央部に形成されている
ことを特徴とした光学ピックアップ装置。
【請求項３】
請求項１または請求項２に記載の光学ピックアップ装置において、
前記幅広部は、前記線状弾性部材の長手方向の長さの略３分の１に亘って形成されている
ことを特徴とした光学ピックアップ装置。
【請求項４】
請求項１ないし請求項３のいずれかに記載の光学ピックアップ装置において、
前記幅広部は、当該幅広部の両端部から中心に向かって幅寸法が大きくなるテーパ状に形成されている
ことを特徴とした光学ピックアップ装置。
【請求項５】
請求項１ないし請求項４のいずれかに記載の光学ピックアップ装置において、
前記幅広部は、平板状に形成されている
ことを特徴とした光学ピックアップ装置。
【請求項６】
請求項５に記載の光学ピックアップ装置において、
前記幅広部の平板面は、前記対物レンズの光軸方向に対して略直交している
ことを特徴とした光学ピックアップ装置。
【請求項７】
請求項１ないし請求項６のいずれかに記載の光学ピックアップ装置において、
前記線状弾性部材の端部には、前記幅広部と連結する軸状の軸部が形成され、この軸部の一部に径方向に突出して形成されるが突出面が形成され、
前記軸部の一部および前記突出面と前記支持部との間には、ダンプ剤が充填されている  ことを特徴とした光学ピックアップ装置。
【発明の詳細な説明】
【技術分野】
【０００１】
本発明は、光記録媒体の情報の読み取り若しくは書き込みを行うための光学ピックアップ装置に関する。
【背景技術】
【０００２】
従来、ＣＤやＤＶＤなどの光記録媒体に記録されている情報を記録したり、または記録されている情報を再生したりする光学ピックアップ装置が知られている（例えば特許文献１）。
特許文献１の光学ピックアップ装置は、対物レンズを内蔵したレンズホルダと回路基板とを備えた可動部を４本の線状弾性部材でアクチュエータベースに移動可能に連結したアクチュエータ部と、可動部の両側面に所定の時期空間を設けて対向配置される一対の磁石を固定した一対のヨークが設けられるとともに、可動部のトラッキング方向の側面を囲むように対向配置される立設部を形成したサスペンションベースと、を備えて構成されている。
【０００３】
また、可動部のレンズホルダの両側面には、それぞれフォーカス方向に所定の距離だけ離間して一対の固定アームが設けられている。この固定アームにそれぞれ１本づつ線状弾性部材の一端部が固定されている。この線状弾性部材の他端部は、アクチュエータベースの両端側に配置される溝に固定される。そして、可動部の両側面に対向配置された磁石の磁力と可動部の回路基板とを制御することで、可動部をフォーカス方向およびトラッキング方向に精密に移動させることが可能となる。
【０００４】
【特許文献１】特開２００１−２２９５５６号公報（第９頁、図１、図２）
【発明の開示】
【発明が解決しようとする課題】
【０００５】
しかしながら、特許文献１に記載の光学ピックアップ装置では、線状弾性部材は、線部材によって同一形寸法の軸状に形成されている。この場合、可動部に大きなねじれ力が加わった時、４本の線状弾性部材の各強度差により、対物レンズが傾き、スキュー特性が悪化する。すなわち、対物レンズの傾きによって、対物レンズと光記録媒体の表面との位置関係にずれが生じて、光記録媒体の正常な書き込みや読み込みができなくなる可能性がある。従って、これらの線状弾性部材の各強度により対物レンズの傾きを調整する機構を備える必要があり、生産コストが高くなってしまう。
【０００６】
また、従来では、フォーカス方向およびトラッキング方向の振動減衰率の制御は、線状弾性部材とアクチュエータベースとの間に適正なダンプ剤を充填するのみで実施されている。しかしながら、光記録媒体の回転速度が速くなると、可動部のねじれ共振周波数が大きくなると、ダンプ剤の充填のみで解決できなくなる。これに対して、４本の線状弾性部材の設置角度を調整することである程度のねじれ共振の影響を受けない構造とすることが知られているが、完全にねじれ共振を抑制することは困難である。ねじれ共振が起こると、可動部は、振動の影響を受けて、スキュー精度が低下してしまう。
【０００７】
本発明の目的は、スキュー精度を良好に維持できる光学ピックアップ装置を提供することである。
【課題を解決するための手段】
【０００８】
本発明の光学ピックアップ装置は、対物レンズを備えた可動部と、前記可動部を少なくとも一対の弾性部材を介して移動可能に接続する支持部とを備えた光学ピックアップ装置であって、前記少なくとも一対の弾性部材は、前記可動部および前記支持部の両側面側に互いに交差する角度で設けられるとともに、この弾性部材の一部に、少なくとも一径方向において径寸法が該弾性部材の両端部の径寸法よりも大きく形成される幅広部を有することを特徴とする。
【図面の簡単な説明】
【０００９】
【図１】本実施の形態の光学ピックアップ装置の全体斜視図である。
【図２】ピックアップアクチュエータの正面図である。
【図３】本実施の形態のサスペンションの変形例を示すピックアップアクチュエータの斜視図である。
【図４】ストッパ部材の正面図である。
【図５】ストッパ部材の断面図である。
【図６】ストッパ部材の側面図である。
【符号の説明】
【００１０】
１…光学ピックアップ装置
２０…ピックアップアクチュエータ
２１…支持部としてのサスペンションベース
２２…可動部
２５…線状弾性部材としてのサスペンション
２４１…対物レンズ
２５２…軸部
２５３…幅広部
２５４…突出面。
【発明を実施するための最良の形態】
【００１１】
以下、本発明の実施形態を図面に基づいて説明する。
〔ピックアップ装置の構成〕
図１において、光学ピックアップ装置１は、アクチュエータベース１０と、ピックアップアクチュエータ２０と、ストッパ部材３０と、を備えている。光学ピックアップ装置１は、例えばＣＤやＤＶＤなどの情報記録面を有する円盤状の光学式記録媒体に情報を記録、または記録された情報を再生する記録媒体駆動装置に組み込まれている。
【００１２】
記録媒体駆動装置としては、例えばパーソナルコンピュータなどの端末機器の内部または外部に接続されるＣＤドライブやＤＶＤドライブや、テレビなどやオーディオなどに接続されるＣＤプレイヤやＤＶＤプレイヤ、また、単一で機能するポートブルＣＤプレイヤなどが挙げられる。光学ピックアップ装置１は、このような記録媒体駆動装置に格納された光学式記録媒体の情報記録面に対向する位置に、この情報記録面の径方向（トラッキング方向Ｔ）に移動可能に取付けられている。
【００１３】
〔アクチュエータベースの構成〕
アクチュエータベース１０は、図示しないピックアップ支持体に取付けられている。このピックアップ支持体は、図示しない駆動機構に接続され、駆動機構の制御により光学ピックアップ装置を光学式記録媒体の面に沿ってトラッキング方向Ｔへ移動させる。また、ピックアップ支持体には図示しないレーザ光源が取り付けられていて、レーザ光源から出射されたレーザ光は、光学系により構成される光路を通って後述する対物レンズ２４１の下方に至る。対物レンズ２４１の下方には立ち上げミラー（図示せず）が配置されており、レーザ光は立ち上げミラーにより上方へ進路変更されて対物レンズ２４１を下から上へと通過する。対物レンズ２４１の上方には図示しない光学式記録媒体が配置され、対物レンズ２４１はレーザ光を光学式記録媒体の情報記録面に集光する。
【００１４】
アクチュエータベース１０は、アルミなどの比較的軽量な金属を素材としている。このアクチュエータベース１０は、略平板矩形状に形成される基部１１と、基部１１のトラッキング方向に直交する方向に立ち上がる一対の立上部１３と、基部１１のトラッキング方向に略平行に立ち上がる一対のヨーク１４と、ヨーク１４に固定される一対の磁石１５と、を備えている。
【００１５】
基部１１は、取付孔１２を有し、この取付孔１２にねじ止めなどをすることでピックアップ支持体に取付けられる。この基部１１には、ピックアップアクチュエータ２０が固定される。ピックアップアクチュエータ２０の取付けは、後述する可動部２２が一対の立上部１３および一対の磁石１５の間で、これらの立上部１３および磁石１５と所定の距離寸法を隔てて配置されるように、後述する支持部としてのサスペンションベース２１をアクチュエータベース１０の基部１１に固定する。
【００１６】
アクチュエータベース１０の基部１１には、サスペンションベース２１に設けられたベース固定孔２１１に対応した位置に孔部が設けられていて、この孔部とベース固定孔２１１をねじ止めなどすることでサスペンションベース２１が基部１１に固定される。なお、サスペンションベース２１の取付けは、ねじ止めに限定されず、ピン部材により係止させてもよく、接着剤により接着固定するものであってもよい。さらに、基部１１には、サスペンションベース２１に形成されているＭ字溝２１２の形状に合わせて突起片１６が形成されている。この突起片１６は、サスペンションベース２１のＭ字溝２１２を係合させることで、サスペンションベース２１の固定時に位置決めとして機能する。
【００１７】
立上部１３には、位置決め溝１３１が形成され、この位置決め溝１３１には、後述するストッパ部材３０が位置決め固定されている。また、ヨーク１４には、上面部の一部に凹部１４１が形成されている。この凹部１４１は、磁石１５を固定するための接着剤を導入するために形成されている。磁石１５は、一対のヨーク１４の互いに対向する面に固定されて、磁界を形成している。
【００１８】
〔ピックアップアクチュエータの構成〕
図１、図２において、ピックアップアクチュエータ２０は、アクチュエータベース１０の基部１１に固定される支持部としてのサスペンションベース２１と、サスペンションベース２１に対して移動可能に取付けられる可動部２２と、サスペンションベース２１および可動部２２を連結する線状弾性部材としてのサスペンション２５と、を備えて構成されている。
【００１９】
これらのサスペンションベース２１および可動部２２は、合成樹脂によって形成されている。サスペンション２５は、ばね材料として強い曲げ応力に耐える高強度を有し、繰り返し作用に対する疲労耐性に優れた素材、例えばベリリウム銅などの金属によって形成される。そして、これらのサスペンションベース２１および可動部２２は、サスペンション２５をインサートした状態でインサート成形される。なお、これらのサスペンションベース２１や可動部２２には、複数の肉抜き部２１４が、合成樹脂の肉厚が略均一になるように形成されていて、インサート成形によりヒケが生じて表面に凹みができるのを防止している。
【００２０】
サスペンションベース２１には、ベース固定孔２１１と、Ｍ字溝２１２と、サスペンション挿通溝２１３と、が形成されている。ベース固定孔２１１は、サスペンションベース２１をトラッキング方向に貫通する孔である。このベース固定孔２１１は、前述したように、アクチュエータベース１０の基部１１にサスペンションベース２１をねじ止めやピン止めなどにより固定するためのねじやピンの挿通孔となる。Ｍ字溝２１２はサスペンションベース２１のアクチュエータベース１０と対向する面に形成されている。そして、Ｍ字溝２１２は、前述したように、アクチュエータベース１０の基部１１に形成される突起片１６に係止されて、アクチュエータベース１０とサスペンションベース２１との位置決めに用いられる。
【００２１】
サスペンション挿通溝２１３は、サスペンションベース２１の可動部２２と対向する面の4隅にサスペンション２５の長手方向と略同一方向に略凹状に形成されている。このサスペンション挿通溝２１３は、サスペンション２５が通される溝である。サスペンション挿通溝２１３には、サスペンション２５との間にダンピング剤が充填され、所定周波数までのサスペンション２５の振動を防止している。このダンピング剤は、ゲル状の制振用化学物質であり、サスペンション２５とサスペンション挿通溝２１３の間に充填されることでサスペンション２５の振動を緩衝しているとともにサスペンション２５の固定力を強化している。
【００２２】
可動部２２には、対物レンズ２４１（図１参照）を保持するレンズホルダ２４と、可動部２２の両側面から２本づつ計４本突出する固定アーム２３と、コイル基板２６とを備えている。レンズホルダ２４は、可動部の略中心にフォーカス方向に貫通して中空状に形成されている。このレンズホルダ２４の上面側に対物レンズ２４１が固定されている。このレンズホルダ２４は、前述したように、図示しないピックアップ支持体のレーザ光源から出光される所定の光度のレーザ光を通し、対物レンズ２４１は、このレーザ光を光学式記録媒体の情報記録面に集光する。
【００２３】
固定アーム２３は、可動部２２のサスペンションベース２１と対向する側とは反対側の４隅の角部にそれぞれトラッキング方向Ｔに突出して形成されている。また、可動部２２の一側面から突出される一対の固定アーム２３は、フォーカス方向に所定の間隔だけ離隔して形成されている。この固定アーム２３には、サスペンション２５が固定され、このサスペンション２５によって、可動部２２は、サスペンションベース２１に揺動自在に接続されている。
【００２４】
そして、この可動部２２には、一対のコイル基板２６が可動部２２のサスペンションベース２１に対向する面とその反対面とに固定されている。そして、可動部２２は、ピックアップアクチュエータ２０をアクチュエータベース１０に取付けたとき、前述したように一対の立上部１３と一対のヨーク１４に囲まれて配置される。この時、コイル基板２６はヨーク１４に固定される磁石１５と対向して配置される。従って、可動部２２は、磁石１５の磁界内に配置されることになり、コイル基板２６に形成された図示しないフォーカスコイル及び図示しないトラッキングコイルに所定のサーボ帯域（例えば、０〜５ＫHz）の周波数となる駆動電流を通電すると、コイル内の電流と磁界とにより生じる力により、可動部２２は、フォーカス方向Ｆ及びトラッキング方向Ｔに移動する。
【００２５】
サスペンション２５は、両端部に形成される平板部２５１と、平板部２５１に連結される軸部２５２と、軸部２５２に連結される幅広部２５３とが一体に形成されている。この時、サスペンションの両端側に形成される軸部２５２と軸部２５２に挟まれる幅広部２５３とは、それぞれサスペンション２５の長手方向の全体長さの略３分の１に渡って形成されている。ここで、サスペンション２５の長手方向の全体長さとは、サスペンション２５の一端側に形成される軸部２５２から他端に形成される軸部２５２までの長さのことを意味する。すなわち、一端側に形成される軸部２５２の長さ寸法Ｌ１と、他端側に形成される軸部２５２の長さ寸法Ｌ３と、これらの軸部２５２に連結される幅広部２５３の長さ寸法Ｌ２とは、略同一長さ寸法に形成される。
【００２６】
平板部２５１は、サスペンションベース２１および可動部２２の固定アーム２３に、インサート成形時に埋め込まれて固定されている。また、この平板部２５１は、先端部がサスペンションベース２１または固定アーム２３から突出した状態で固定されている。そして、サスペンションベース２１に固定された平板部２５１の先端の突出部位には、図示しない配線が電気的に接続され、図示しない電気回路を接続されている。一方、固定アーム２３に固定された平板部２５１の先端の突出部位は、可動部２２に固定されるコイル基板２６に接続され、電気回路からサスペンション２５を介してコイル基板２６に電流が流れるように構成されている。
【００２７】
軸部２５２は、略軸状に直線状に延びて形成されている。また、サスペンションベース２１側の軸部２５２とサスペンション挿通溝２１３との間には、前述したようにダンピング剤が充填され、サスペンションベース２１とサスペンション２５との固定力を強化させるともに所定周波数までの振動を緩衝している。ここで、緩衝できる周波数とは、例えば略６０Ｈｚまでの周波数であり、これは、ダンピング剤の種類などにより調整可能となっている。
【００２８】
幅広部２５３は、軸部２５２と連結され、トラッキング方向Ｔの幅寸法が大きくなるように形成されている。この時、幅広部２５３は、軸部２５２との連結位置から離れるにつれて幅寸法が大きくなるテーパ状に形成されている。このため、軸部２５２と幅広部２５３との連結部位に過度の力がかからないため、サスペンション２５の破損を防止できる。このように幅寸法が大きく形成された幅広部２５３を形成することで、ねじれに対する強度が向上し、前述したダンピング剤で緩衝できない高周波数の振動、例えばサスペンション２５のねじれ共振の周波数をディスク回転周波数領域より高くすることに貢献する。
【００２９】
なお、図３に示すように、サスペンション２５の軸部２５２には、径方向に延びる突出面２５４が形成されている構成としてもよい。このような突出面２５４を設けると、サスペンション挿通溝２１３に充填されるダンピング剤と、サスペンション２５との接触面積が増大して、ダンピング剤によるサスペンションの緩衝効果がより期待できる。
【００３０】
〔ストッパ部材の構成〕
図４ないし図６において、ストッパ部材３０は、例えば合成樹脂を素材として略コ字型に形成されている。ストッパ部材３０は、ストッパ基部３１と、ストッパ基部３１に接続される接続部３２と、接続部３２の先端に固定されるアーム３３と、が一体に形成されている。
【００３１】
ストッパ基部３１は、ストッパ部材３０をアクチュエータベース１０に取付けた際に、ヨーク１４の方向に突出する係止片３８と、ストッパ基部３１の４隅からヨーク１４の方向に突出する押え片３９と、を有している。係止片３８は、アクチュエータベース１０の一対のヨーク１４のうち、サスペンションベース２１から離れている方のヨーク１４に形成される凹部１４１に係止される。また、押え片３９は、係止片３８が係止されたヨーク１４およびこのヨーク１４に固定される磁石１５を、トラッキング方向から挟み込む。この係止片３８および押え片３９によってストッパ基部３１は、アクチュエータベース１０のトラッキング方向に対して位置決めされる。
【００３２】
接続部３２は、ストッパ基部３１の両側面にトラッキング方向Ｔ側に向かって形成されている。そして、接続部３２の先端に形成されるアーム３３は、ストッパ基部３１の両側面に略並行に一対設けられる。また、このアーム３３は、トラッキング方向Ｔおよびフォーカス方向Ｆに略直交する方向を長手方向として形成されている。ここで、このアーム３３のストッパ基部３１から遠ざかる位置をアーム３３の先端側とし、ストッパ基部３１に近い位置をアーム３３の基端部とし、ストッパ部材３０をアクチュエータベース１０に取付ける方向を取付け方向とすると、アーム３３は、接続部３２によって、先端側が互いに離隔する方向に常に付勢されている。
【００３３】
これらの一対のアーム３３の互いに対向する面の先端側には、可動部２２のトラッキング方向Ｔへの可動範囲を規制する壁部３４と、これらの壁部３４から突出して可動部２２のフォーカス方向Ｆの可動範囲を規制する突起部３５とが一体に形成されている。
【００３４】
壁部３４は、ストッパ部材３０をアクチュエータベース１０に取付けたとき（図１参照）、可動部２２の固定アーム２３の先端部と所定の距離を開けて配置され、一対の壁部３４間が可動部２２のトラッキング方向Ｔへの可動範囲となる。可動範囲を越える変位量が可動部２２に与えられた場合は、固定アーム２３の先端部が壁部３４に当接し、可動部２２の揺動が規制される。また、突起部３５は、フォーカス方向に離隔して設けられる一対の固定アーム２３の中間位置に配置される。そして、この突起部３５と固定アーム２３とが当接するまでの距離が可動部２２のフォーカス方向Ｆへの可動範囲となる。可動範囲を越える変位量が可動部２２に与えられた場合は、固定アームが突起部３５に当接し、可動部２２の揺動が規制される。また、可動部２２がフォーカス方向Ｆおよびトラッキング方向Ｔの双方に移動する場合があるため、壁部３４のフォーカス方向の寸法は、可動部２２のフォーカス方向への可動範囲寸法以上に形成されている。
【００３５】
一対のアーム３３の突起部３５が形成される面の反対面、すなわち、互いに離隔する方向の面には、第1の係合爪３６と第2の係合爪３７とが形成されている。第1の係合爪３６は、アーム３３の先端側に形成され、第2の係合爪３７は、アーム３３の基端側に設けられている。これらの係合爪３６，３７は、それぞれストッパ部材３０の取付け方向に向かって突出寸法が小さくなるテーパ状に形成されている。
【００３６】
これらの係合爪３６，３７は、前述したように、アクチュエータベース１０の立上部１３に形成される位置決め溝１３１に係合されて、ストッパ部材３０をアクチュエータベース１０に固定する。この時、位置決め溝１３１は、フォーカス方向Ｆおよびトラッキング方向Ｔと略直交する方向に延びて形成されているので、ストッパ部材３０を固定する時、まずストッパ部材３０の第１の係合爪３６を位置決め溝１３１に係合させ、そのままストッパ部材３０を位置決め溝１３１に沿ってスライド移動させて第２の係合爪を係合させる。
【００３７】
この時、位置決め溝１３１の長手方向の長さ寸法と、第１の係合爪３６の先端側から第２の係合爪３７の基端側までの距離寸法が同一であれば、確実にストッパ部材３０の係合爪３６，３７をアクチュエータベース１０の位置決め溝１３１に嵌めこんで固定することができる。さらに、この時、アーム３３の先端側は接続部３２によって位置決め溝１３１側に付勢されるので、さらにストッパ部材３０の固定力が向上する。
【００３８】
〔ピックアップアクチュエータの作用効果〕
このような本実施の形態のピックアップアクチュエータ２０では、サスペンション２５は、トラッキング方向Ｔの幅寸法が大きくなるように形成された幅広部２５３を備えている。これにより、幅広部２５３でサスペンション２５のねじれを防止できるため、ねじれによって発生する高周波数のねじれ共振による振動を抑えることができる。従って、可動部の振動を押えることができるので、スキュー精度を良好に維持できる。
【００３９】
そして、この幅広部２５３は、サスペンション２５の両端に形成される軸部２５２を挟んで、サスペンション２５の略中央に形成される。これにより、サスペンション２５は、最もねじれの影響を受けるサスペンション２５の略中央部に幅広部２５３が形成されているので、最もねじれの影響を受けにくくなる。従って、サスペンション２５のねじれを効率よく防止できる。
【００４０】
また、この時、軸部２５２と幅広部２５３との長さ寸法は、それぞれサスペンション２５の全体長さの略３分の１の長さ寸法に形成されて、それぞれの長さ寸法が略同一寸法となっている。これにより、サスペンション２５の全体の強度や曲げ剛性が対称的になる。従って、サスペンション２５は、可動部が揺動した際に受ける力をサスペンション２５全体に中心対称に分散できる。
【００４１】
また、幅広部２５３は、軸部２５２との連結位置から幅広部２５３の中心に向かって幅寸法が大きくなるテーパ状に形成されている。これにより、サスペンション２５にねじれ力が加わったときに、このテーパ部に力を分散でき、軸部２５２と幅広部２５３との連結位置に過度の力が加わらない。従って、この連結位置の破損を防止できる。
【００４２】
そして、幅広部２５３は、トラッキング方向Ｔの幅寸法が大きくなる平板状に形成されている。これにより、サスペンション２５は、一方向にしか広がっていないため、ピックアップアクチュエータ２０をアクチュエータベース１０に取付ける際に、余計なスペースを取らずに邪魔にならない。また、幅広部２５３は、トラッキング方向Ｔに広がって形成されている。すなわち、幅広部２５３は、対物レンズの光軸方向に対して略垂直となる。これにより、サスペンション２５は、他の力が加わっていない状態で、可動部２２を光軸に対して略垂直に保持できる。このため、可動部２２を光軸に対して略垂直にするための動力を抑えることができ、消費電力を抑えることができる。
【００４３】
また、サスペンション２５の軸部２５２のサスペンションベース２１側には、突出面２５４が形成されている。これにより、サスペンションベース２１のサスペンション挿通溝２１３とサスペンション２５との間にダンピング剤を充填させたときに、突出面２５４の表面積分だけダンピング剤をサスペンション２５との接触面積が増大する。従って、ダンピング剤による低周波数の振動をより効果的に抑制でき、サスペンション２５の固定力も向上する。
【００４４】
〔実施の形態の変形例〕
なお、本発明は前述の実施形態に限定されるものではなく、本発明の目的を達成できる範囲での変形、改良等は本発明に含まれるものである。
【００４５】
例えば、前述したように、軸部２５２には、径方向に突出する突出面２５４が形成されていてもよい。また、突出面２５４としては、例えば、図３に示すように、軸部２５２から複数本のピン状の突起面２５４を突出させてもよく、軸部の周部に形成されるリング状の突出面であってもよい。
【００４６】
また、幅広部２５は、フォーカス方向に対して略直交する平板状に形成されるとしたが、これに限らない。例えば、幅広部の平板面は、フォーカス面と略交差していてもよい。さらに、幅広部の形状も平板に限らず、例えば平板を2枚交差させた断面略十字形状の幅広部であってもよく、さらに2枚以上の複数の平板を交差させた幅広部であってもよい。また、軸部よりも径寸法が大きく形成されている断面略円形の幅広部であってもよい。このように、複数の平板を交差させた形状や径寸法の大きい軸形状とすることで、さらにねじれに対する応力が増大し、ねじれ共振を防止できる。
【００４７】
また、幅広部２５３の両端部の軸部２５２との連結部位は、テーパ状に形成されているとしたが、これに限らない。例えば、テーパ状に形成されていない形状であってもよく、この場合、軸部と幅広部との連結部位を強化するために、この連結部位に別途補強部材を設けることが考えられる。
【００４８】
さらに、幅広部２５３は、サスペンション２５の中央に全体長さの3分の1の長さ寸法で
形成されているとしたが、これに限らない。例えば、サスペンション２５の略全体の幅寸法を大きく形成して、軸部の長さ寸法を短くした構成であってもよい。このような構成にすることで、可動部の可動範囲が制限されるが、サスペンションの強度やねじれに対する強さが強くなり、サスペンションの破損やねじれ共振を防止できる。
【００４９】
本発明を実施するための最良の構成、方法などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【００５０】
〔実施の形態の効果〕
このような本実施の形態の光学ピックアップ装置１では、サスペンション２５は、トラッキング方向Ｔの幅寸法が大きくなるように形成された幅広部２５３を備えている。これにより、幅広部２５３でサスペンション２５のねじれを防止できるため、ねじれによって発生する高周波数のねじれ共振による振動を抑えることができる。従って、可動部の振動を押えることができるので、スキュー精度の低下を抑えることができる。
【産業上の利用可能性】
【００５１】
本発明は、光記録媒体の情報の読み取り若しくは書き込みを行うための光学ピックアップ装置として利用できる。
【図１】
2005088620.tif 000002
【図２】
2005088620.tif 000003
【図３】
2005088620.tif 000004
【図４】
2005088620.tif 000005
【図５】
2005088620.tif 000006
【図６】
2005088620.tif 000007
【手続補正書】
【提出日】平成18年1月16日(2006.1.16)
【手続補正１】
【補正対象書類名】特許請求の範囲
【補正対象項目名】全文
【補正方法】変更
【補正の内容】
【書類名】特許請求の範囲【請求項１】支持部と、この支持部に少なくとも一対の線状弾性部材を介して移動可能に接続されるとともに対物レンズを有する可動部とを備えた光学ピックアップ装置であって、  前記一対の線状弾性部材は、長手方向に延びる仮想線が交差するように一端が前記可動部に固定されて他端が前記支持部に固定されるとともに、この線状弾性部材の長手方向の略中央部の幅寸法が当該線状弾性部材の両端部よりも大きく形成される幅広部を有する  ことを特徴とした光学ピックアップ装置。【請求項２】（削除）【請求項３】  請求項１または請求項２に記載の光学ピックアップ装置において、  前記幅広部は、前記線状弾性部材の長手方向の長さの略３分の１に亘って形成されている  ことを特徴とした光学ピックアップ装置。【請求項４】  請求項１ないし請求項３のいずれかに記載の光学ピックアップ装置において、  前記幅広部は、当該幅広部の両端部から中心に向かって幅寸法が大きくなるテーパ状に形成されている  ことを特徴とした光学ピックアップ装置。【請求項５】請求項１ないし請求項４のいずれかに記載の光学ピックアップ装置において、  前記幅広部は、平板状または断面略円形状に形成されている  ことを特徴とした光学ピックアップ装置。【請求項６】  請求項５に記載の光学ピックアップ装置において、  前記幅広部の平板面は、前記対物レンズの光軸方向に対して略直交している  ことを特徴とした光学ピックアップ装置。【請求項７】  請求項１ないし請求項６のいずれかに記載の光学ピックアップ装置において、  前記線状弾性部材の端部には、前記幅広部と連結する軸状の軸部が形成され、この軸部の一部に径方向に突出して形成されるが突出面が形成され、  前記軸部の一部および前記突出面と前記支持部との間には、ダンプ剤が充填されている  ことを特徴とした光学ピックアップ装置。【手続補正２】
【補正対象書類名】明細書
【補正対象項目名】０００２
【補正方法】変更
【補正の内容】
【０００２】キュー特性が悪化する。すなわち、対物レンズの傾きによって、対物レンズと光記録媒体の表面との位置関係にずれが生じて、光記録媒体の正常な書き込みや読み込みができなくなる可能性がある。従って、これらの線状弾性部材の各強度により対物レンズの傾きを調整する機構を備える必要があり、生産コストが高くなってしまう。［０００６］  また、従来では、フォーカス方向およびトラッキング方向の振動減衰率の制御は、線状弾性部材とアクチュエータベースとの間に適正なダンプ剤を充填するのみで実施されている。しかしながら、光記録媒体の回転速度が速くなると、可動部のねじれ共振周波数が大きくなると、ダンプ剤の充填のみで解決できなくなる。これに対して、４本の線状弾性部材の設置角度を調整することである程度のねじれ共振の影響を受けない構造とすることが知られているが、完全にねじれ共振を抑制することは困難である。ねじれ共振が起こると、可動部は、振動の影響を受けて、スキュー精度が低下してしまう。［０００７］  本発明の目的は、スキュー精度を良好に維持できる光学ピックアップ装置を提供することである。【課題を解決するための手段】［０００８］  本発明の光学ピックアップ装置は、対物レンズを備えた可動部と、前記可動部を少なくとも一対の弾性部材を介して移動可能に接続する支持部とを備えた光学ピックアップ装置であって、前記少なくとも一対の弾性部材は、前記可動部および前記支持部の両側面側に互いに交差する角度で設けられるとともに、この弾性部材の長手方向の略中央部の幅寸法が該弾性部材の両端部よりも大きく形成される幅広部を有することを特徴とする。【図面の簡単な説明】［０００９］［図１］本実施の形態の光学ピックアップ装置の全体斜視図である。［図２］ピックアップアクチュエータの正面図である。［図３］本実施の形態のサスペンションの変形例を示すピックアップアクチュエータの斜視図である。［図４］ストッパ部材の正面図である。［図５］ストッパ部材の断面図である。                                      ２【手続補正書】
【提出日】平成19年9月3日(2007.9.3)
【手続補正１】
【補正対象書類名】特許請求の範囲
【補正対象項目名】全文
【補正方法】変更
【補正の内容】
【特許請求の範囲】
【請求項１】
支持部と、
この支持部に少なくとも一対の線状弾性部材を介して移動可能に接続されるとともに対物レンズを有する可動部とを備えた光学ピックアップ装置であって、
前記一対の線状弾性部材は、長手方向に延びる仮想線が交差するように一端が前記可動部に固定されて他端が前記支持部に固定されるとともに、この線状弾性部材の長手方向の略中央部に、径寸法が当該線状弾性部材の両端側の軸部の径寸法よりも大きく形成される断面略円形状の幅広部を有する
ことを特徴とした光学ピックアップ装置。
【請求項２】
請求項１に記載の光学ピックアップ装置において、
前記幅広部は、前記線状弾性部材の長手方向の長さの略３分の１に亘って形成されている
ことを特徴とした光学ピックアップ装置。
【請求項３】
請求項１または請求項２のいずれかに記載の光学ピックアップ装置において、
前記幅広部は、当該幅広部の両端部から中心に向かって径寸法が大きくなるテーパ状に形成されている
ことを特徴とした光学ピックアップ装置。
【請求項４】
請求項１ないし請求項３のいずれかに記載の光学ピックアップ装置において、
前記線状弾性部材の端部には、前記幅広部と連結する軸状の軸部が形成され、この軸部の一部に径方向に突出して形成されるが突出面が形成され、
前記軸部の一部および前記突出面と前記支持部との間には、ダンプ剤が充填されている
ことを特徴とした光学ピックアップ装置。
【手続補正２】
【補正対象書類名】明細書
【補正対象項目名】０００８
【補正方法】変更
【補正の内容】
【０００８】
本発明の光学ピックアップ装置は、対物レンズを備えた可動部と、前記可動部を少なくとも一対の弾性部材を介して移動可能に接続する支持部とを備えた光学ピックアップ装置であって、前記少なくとも一対の弾性部材は、前記可動部および前記支持部の両側面側に互いに交差する角度で設けられるとともに、この弾性部材の一部に、径寸法が該弾性部材の両端側の軸部の径寸法よりも大きく形成される断面略円形状の幅広部を有することを特徴とする。
【国際調査報告】
2005088620.tif 000008
2005088620.tif 000009
2005088620.tif 000010
2005088620.tif 000011